(57)【要約】【課題】使用者の好みの化粧料等を後からシートに含浸させることができると共に、含浸させる際に、使用者が化粧料等を含浸させる位置を容易に把握することができ、誤使用を防止すること。【解決手段】シート状温熱化粧用具１Ａは、発熱部２１を収容する収容体２２に設けられた粘着部２５，２５を備えている。シート状温熱化粧用具シート１Ａは、収容体２２の片面に、化粧料を含浸させる化粧料含浸部１０を有しており、粘着部２５，２５が剥離紙２で覆われ、化粧料含浸部１０の少なくとも一部は剥離紙２で覆われていないものである。【選択図】図１
2010051486.tif 000002
【特許請求の範囲】
【請求項１】
発熱部を収容する収容体に設けられた粘着部を備えるシート状温熱化粧用具であって、
前記収容体の片面に、化粧料を含浸させる化粧料含浸部を有しており、前記粘着部が剥離紙で覆われ、前記化粧料含浸部の少なくとも一部は該剥離紙で覆われていないシート状温熱化粧用具。
【請求項２】
前記シート状温熱化粧用具の一方の面側に前記化粧料含浸部及び一対の前記粘着部が形成され、他方の面側に剥離紙が配されており、該剥離紙は、該シート状温熱化粧用具の端部から外方へ延出する部分が前記一方の面側に折り返されて前記粘着部を覆っている請求項１に記載のシート状温熱化粧用具。
【請求項３】
一枚の剥離紙上に複数個の前記シート状温熱化粧用具が配置されており、複数個の該シート状温熱化粧用具の前記粘着部それぞれが、前記一方の面側に折り返された該剥離紙により覆われている請求項２に記載のシート状温熱化粧用具。
【請求項４】
前記発熱部が、抄紙発熱体を用いて構成されている請求項１〜３の何れかに記載のシート状温熱化粧用具。
【請求項５】
請求項１〜４の何れかに記載のシート状温熱化粧用具及び前記化粧料含浸部に含浸する液状の化粧料入りの容器が、同一のパッケージの中に収容されたシート状温熱具セット。
【請求項６】
請求項１〜４の何れかに記載のシート状温熱化粧用具の使用方法であって、
使用時に、前記化粧料含浸部に化粧料を含浸するとともに剥離紙を剥がして使用者の肌に貼り付けるシート状温熱化粧用具の使用方法。
【発明の詳細な説明】
【技術分野】
【０００１】
本発明は、化粧料の肌への浸透等を温熱によって促進させるようにするシート状温熱化粧用具に関する。
【背景技術】
【０００２】
化粧料や薬剤が塗布されたシート状の発熱具或いは水性の化粧料、医薬成分が担持されたシートが接合されたシート状発熱具を顔面に装着し、発熱具から生じる熱を利用して、化粧料や薬剤の肌への浸透を促進させたり、毛穴を開いたりさせる技術が提案されている。
【０００３】
例えば特許文献１には、鉄粉等の被酸化性金属の粉体が密封可能に収容された収容部を備えた包材の外面に、化粧料や薬剤を塗布したもの、或いは水性の化粧料、医薬成分が担持されたシートが接着等の手段によりシート状発熱具に接合した温熱化粧用具が記載されている。
【０００４】
しかしながら特許文献１に記載の温熱化粧用具は、当初から化粧料や薬剤が既にシートに塗布されており、使用者の好みの化粧料を後からシートに塗布できなかった。また、化粧料等を後からシートに塗布する場合、化粧料等を塗布するシート及びシート状発熱具の表面が不織布などの繊維状シート材で構成されており、類似の風合いを有しているため、使用者が化粧料等を塗布する位置を把握することが難しく、誤使用することがあった。そのような問題について、特許文献１の温熱化粧用具には記載されていない。また、特許文献１には、構成部材数を抑え、ゴミの発生を低減することや、温熱化粧用具に使用する粘着剤の養生について考慮されていない。
【０００５】
【特許文献１】特開２００６−１９８３２５号公報
【発明の開示】
【発明が解決しようとする課題】
【０００６】
したがって本発明の目的は、前述した欠点を解消し得るシート状温熱化粧用具を提供することにある。
【課題を解決するための手段】
【０００７】
本発明は、発熱部を収容する収容体に設けられた粘着部を備えるシート状温熱化粧用具であって、前記収容体の片面に、化粧料を含浸させる化粧料含浸部を有しており、前記粘着部が剥離紙で覆われ、前記化粧料含浸部の少なくとも一部は該剥離紙で覆われていないシート状温熱化粧用具を提供するものである。
【発明の効果】
【０００８】
本発明のシート状温熱化粧用具によれば、使用者の好みの化粧料等を後からシートに含浸させることができ、含浸させる際に、使用者が化粧料等を含浸させる位置を容易に把握することができ、誤使用する割合が少なくなる。本発明のシート状温熱化粧用具によれば、構成部材数が抑えられているので、ゴミの発生を低減することができる。また、本発明のシート状温熱化粧用具によれば、粘着部の粘着強度を使用するまで維持することができる。
【発明を実施するための最良の形態】
【０００９】
以下、本発明のシート状温熱化粧用具を、その好ましい一実施形態に基づいて説明する。
先ず本発明の第１実施形態のシート状温熱化粧用具について、図１〜図５に基づいて説明する。
【００１０】
第１実施形態のシート状温熱化粧用具１Ａは、図２，図３に示すように、発熱部２１を収容する収容体２２に設けられた粘着部２５，２５を備えている。シート状温熱化粧用具１Ａは、図１〜図４に示すように、収容体２２の片面に、化粧料を含浸させる化粧料含浸部１０を有しており、粘着部２５，２５が剥離紙２で覆われ、化粧料含浸部１０の少なくとも一部は剥離紙２で覆われていないものである。
【００１１】
第１実施形態のシート状温熱化粧用具１Ａについて、詳述する。
シート状温熱化粧用具１Ａは、化粧料含浸部１０とシート状発熱具２０とを備えている。化粧料含浸部１０とシート状発熱具２０とはそれぞれ別体の部材であり、接着剤等により積極的に固着されておらず、互いに分離可能になっている。
【００１２】
上記化粧料含浸部１０は、図１，図３に示すように、平面視して各端部が丸みを帯びた略三日月形をしており、扁平な形状をしている。化粧料含浸部１０は、図２に示すように、繊維材料からなる繊維シートにより構成されている。化粧料含浸部１０は、図２に示すように、収容体２２の片面の上方（発熱部２１の片面の上方）であって、収容体２２の中央領域に配置されている。
【００１３】
上記シート状発熱具２０は扁平な形状をしている。図２に示すように、シート状発熱具２０は、発熱部２１及び該発熱部２１を収容する収容体２２を備えている。収容体２２は扁平なものであり、複数のシート材を貼り合わせて、発熱部２１が収容される密閉空間が形成されたものである。この密閉空間が発熱部２１の収容部になっている。扁平な形状を有する収容体２２は、肌当接面側に位置する第１の面２２ａ及びそれと反対側に位置する非肌当接面側に位置する第２の面２２ｂを有している。
【００１４】
上記シート状発熱具２０の発熱部２１は化学エネルギーを利用して発熱を起こさせる部位である。利用し得る化学エネルギーとしては、被酸化性金属の酸化反応により生じる酸化熱、酸とアルカリの中和熱、無機塩類（塩化カルシウム、塩化マグネシウム、酸化カルシウム、酸化マグネシウム、ゼオライト等）の水和熱などが挙げられる。これらのうち、取り扱い性が良好であることや、発熱量が比較的大きいこと、携帯やコンパクト化が容易であることから、本実施形態においては、被酸化性金属の酸化反応により生じる酸化熱を用いている。
【００１５】
化学エネルギーを利用した発熱部２１の具体的な構成は、化学エネルギーの種類に応じて適宜定められる。例えば被酸化性金属の酸化反応により生じる酸化熱を用いる場合には、金属粉（例えば、鉄、アルミニウム、亜鉛、銅等）、触媒となる塩類（例えば、塩化ナトリウム、塩化カリウム等のアルカリ金属の塩化物、塩化カルシウム、塩化マグネシウム等のアルカリ土類金属の塩化物等）、及び水を含有した組成物から構成される。この組成物には、更に保水剤（例えば、バーミキュライト、ケイ酸カルシウム、シリカゲル、シリカ系多孔質物質、アルミナ、パルプ、木紛、吸水ポリマー等）、反応促進剤（例えば、活性炭、カーボンブラック、黒鉛等）等を含有させることができる。
【００１６】
上述の成分を含有する発熱部２１は、抄紙発熱体又は発熱粉体の形態となっている。特に抄紙発熱体の形態になっていることが、シート状温熱化粧用具１Ａの使用中に被酸化性金属等の偏りを防止でき、均一な発熱を行い得る点から好ましい。抄紙発熱体としては、湿式抄造により得られたシート状物や、発熱粉体を紙等で挟持してなる積層体等が挙げられる。そのような抄紙発熱体は、例えば本出願人の先の出願に係る特開２００３−１０２７６１号公報に記載の湿式抄造法や、ダイコーターを用いたエクストルージョン法を用いて製造することができる。
【００１７】
上記シート状発熱具２０の収容体２２における第１の面２２ａは非通気面になっている。一方、第２の面２２ｂは通気面になっており、空気の透過が可能になっている。シート状発熱具２０は、収容体２２における第１の面２２ａの側が化粧料含浸部１０に対向し、第２の面２２ｂの側が外方を向くように使用される。第２の面２２ｂを透過してきた空気（酸素）は、収容体２２内に収容されている発熱部２１を構成する被酸化性金属と反応し、それによって発熱が起こる。発生した熱は、第１の面２２ａを通じて化粧料含浸部１０及び使用者の肌に付与される。
【００１８】
上記シート状発熱具２０の収容体２２における第１の面２２ａ及び第２の面２２ｂは何れもシート材から構成されている。収容体２２は、図２，図３に示すように、第１の面２２ａ及び第２の面２２ｂをそれぞれ構成するシート材を互いに接合して形成された閉じた形状の環状接合部２３を有している。環状接合部２３は連続に形成されている。収容体２２は、環状接合部２３よりも内側の部分において第１の面２２ａと第２の面２２ｂとが非接合状態になっており、その非接合部分に発熱部２を収容している。
【００１９】
上記シート状発熱具２０の収容体２２の環状接合部２３の輪郭は、図３に示すように、平面視して各端部が丸みを帯びた略三日月形をしている。環状接合部２３の輪郭は、先に説明した化粧料含浸部１０の輪郭と略同形である。環状接合部２３の輪郭は、収容体２２に収容されている発熱部２１の輪郭を画定するものであるから、環状接合部２３の輪郭が、化粧料含浸部１０ の輪郭と略同形であることは、発熱部２１と化粧料含浸部１０が略同形であること意味する。
【００２０】
上記シート状発熱具２０は、図２，図３に示すように、発熱部２１よりも外側の位置にフラップ部２４を備えている。フラップ部２４は、発熱部２１の左右両側部からそれぞれ外方に延出した第１の面２２ａと第２の面２２ｂから形成されている。つまりフラップ部２４は、発熱部２１を挟んで該発熱部２１の両側に一対設けられている。
【００２１】
上記シート状発熱具２０の各フラップ部２４の第１の面２２ａ上には、図２に示すように、粘着剤層がそれぞれ設けられ、粘着部２５を形成している。つまり粘着部２５は、発熱部２１を挟んで該発熱部２１の両側に一対設けられている。粘着部２５は、シート状発熱具２１を使用者の身体に固定する固定手段としての働きを有するものである。
【００２２】
上記シート状発熱具２０のフラップ部２４を形成している第１の面２２ａ及び第２の面２２ｂは、図２に示すように、本実施形態においては、互いに接する面が接合されているが、第１の面２２ａ上の粘着部２５が身体から剥がれ難くできる点から、部分的に接合されているか又は接合されていないことが好ましい。第１の面２２ａと第２の面２２ｂとがその接する面の全域で接合されていると、フラップ部２４が硬くなり、身体から剥がれ易くなる場合がある。
【００２３】
上記剥離紙２は、本実施形態においては、図１に示すように、矩形状であり、シート状温熱化粧用具１Ａの外周より広い。剥離紙２は、シート状温熱化粧用具１Ａの面において、化粧料含浸部１０及び一対の粘着部２５，２５が形成された一方の面側（肌当接面側）とは反対の面側、即ち、シート状温熱化粧用具１Ａの非肌当接面側に配されている。剥離紙２は、図１に示すように、シート状温熱化粧用具１Ａの端部から外方へ延出する部分が肌当接面側に折り返されて粘着部２５，２５を覆っているが、化粧料含浸部１０の少なくとも一部を覆っていない。即ち、剥離紙２は、図１に示すように、化粧料含浸部１０の少なくとも一部を露出するように設けられている。
【００２４】
上記剥離紙２上には、１個〜１０個のシート状温熱化粧用具１Ａが配置されており、実施形態においては、図１に示すように、２個のシート状温熱化粧用具１Ａが、シート状温熱化粧用具１Ａの長手方向に直交する方向に並置されている。例えば、両目の下に装着する場合には、剥離紙２上に偶数個のシート状温熱化粧用具１Ａが配置されていることが好ましい。
【００２５】
第１実施形態のシート状温熱化粧用具１Ａの形成材料について説明する。
上記化粧料含浸部１０を構成する繊維シートとしては、柔軟性や伸縮性を有する材料を用いることが、使用者の身体に追従しやすくなる観点から好ましい。そのような材料としては、各種不織布、例えばエアスルー不織布、スパンボンド不 織布、スパンレース不織布、メルトブローン不織布、これらの不織布の複合材料、これらの不織布とフィルムとの複合材料などが挙げられる。繊維シートの坪量は、含浸させる化粧料の含浸量や、化粧料含浸部１０の取り扱い性等を考慮して決定され、例えば１０〜２５０ｇ／ｍ2、特に３０〜１００ｇ／ｍ2とすることができる。
【００２６】
上記シート状発熱具２０を構成する収容体２２のうち、肌当接面側の第１の面２２ａは、非透湿性のフィルム、例えば各種熱可塑性樹脂からなるフィルムが用いられる。収容体２２のうち、非肌当接面側の第２の面２２ｂは、透湿性フィルム又は通気性フィルムから構成される。透湿フィルムの場合には、熱可塑性樹脂と無機フィラーとを溶融混練して押し出した溶融物をフィルム状に成形し、成形されたフィルムを一軸又は二軸延伸することで製造される。透湿性フィルムの透湿度（ＪＩＳ  Ｚ０２０８、４０℃、９０％ＲＨ）は、２００〜５０００ｇ／（ｍ2・２４ｈｒ）、特に５００〜１０００ｇ／（ｍ2・２４ｈｒ）であることが好ましいが、透湿度（ＪＩＳ  Ｚ０２０８で規定）及び通気度（ＪＩＳ  Ｐ８１１７で規定）は、発熱体の組成や量、使用形態（短時間 発熱型、長時間発熱型、水蒸気発生型等）により適宜選定される。収容体２２の肌触りを良好にする目的で、透湿フィルムの外面に不織布等の風合いの良好なシートをラミネートしてもよい。
【００２７】
上記シート状発熱具２０の粘着部２５としては、例えばホットメルト粘着剤を用いることができる。ホットメルト粘着剤は一般に粘着基剤、粘着付与樹脂及び軟化剤を構成成分として含有している。
【００２８】
上記剥離紙２としては、基材となる紙と、粘着部２５に接する剥離層から構成されている。基材と剥離層との間には、剥離層の薬品が基材に染込む事を防止するために目止め層を設けている。基材、目止め層及び剥離層それぞれの材質及び目付け等は用途により自由に選択可能であり、基材としては上質紙、グラシン紙等、目止め層としてはポリエチレン、ポリプロピレン等、剥離層としてはシリコーン樹脂等が挙げられる。
【００２９】
以上の構成を有するシート状温熱化粧用具１Ａの使用方法について説明する。
本使用方法は、図４，図５に示すように、化粧料を含浸させたシート状温熱化粧用具１Ａを使用者の目の下に装着して、温熱効果によって、化粧料成分の肌への浸透を促進させ、例えば、目の下の肌色を改善させることに使用できるシート状温熱化粧用具１Ａの使用方法である。
先ずシート状発熱具２０の発熱部２１が発熱しないように非通気性のフィルム容器（不図示）に封入されている図１に示すような剥離紙２付シート状温熱化粧用具１Ａを、フィルム容器から取り出す。次に、図４（ａ）に示すように、剥離紙２で覆われていない化粧料含浸部１０の部分、即ち化粧料含浸部１０の露出している部分に、使用者の好みの化粧料を含浸させ、次に、図４（ｂ）に示すように、粘着部２５を被覆する剥離紙２を剥がす。そして含浸させた化粧料含浸部１０を使用者の肌に当接させる。この状態が図５（ａ）に示されている。化粧料含浸部１０が化粧料を含浸したことにより肌から脱落しない程度の粘着性又は吸着性を有している場合には、化粧料含浸部１０に手を添えずとも該化粧料含浸部１０は使用者の肌に固定（仮固定）される。次に図５（ｂ）に示すように、化粧料含浸部１０（図示せず）を覆うように、その上にシート状発熱具２０を重ねる。このとき、シート状発熱具２０における発熱部２１の位置が、化粧料含浸部１０（図示せず）と一致するようにする。化粧料含浸部１０（図示せず）の上にシート状発熱具２０を重ねた状態下に、シート状発熱具２０に備えられた粘着部２５によってシート状温熱化粧用具１Ａを使用者の身体（本実施形態では目の下）に固定して使用する。
【００３０】
以上の構成を有するシート状温熱化粧用具１Ａを使用した際の作用効果について説明する。
第１実施形態のシート状温熱化粧用具１Ａは、繊維シートからなる化粧料含浸部１０を備えているため、使用者の好みの化粧料等を後から化粧料含浸部１０に含浸させることができる。
【００３１】
第１実施形態のシート状温熱化粧用具１Ａは、剥離紙２によって、シート状温熱化粧用具１Ａの化粧料含浸部１０の少なくとも一部が露出されているので、使用者が化粧料等を含浸させる際に、含浸させる位置を容易に把握することができ、誤使用する割合が少なくなる。
【００３２】
第１実施形態のシート状温熱化粧用具１Ａは、その左右両側に設けられた粘着部２５，２５が剥離紙２によって覆われているので、粘着部２５，２５は含浸させる化粧料等と接することがなく、粘着部２５，２５の粘着強度が弱くなることがない。よって、粘着部２５，２５の粘着強度を使用するまで維持することができる。また、剥離紙２は、粘着部２５，２５を覆うように、折り返されている。即ち、シート状温熱化粧用具１Ａの誤使用を防ぎ、粘着部２５，２５の粘着強度を維持するように、シート状温熱化粧用具１Ａを覆う剥離紙２は、１枚のシートからなり、構成部材数が抑えられているので、ゴミの発生を低減することができる。
【００３３】
第１実施形態のシート状温熱化粧用具１Ａは、フィルム容器から取り出された後、シート状発熱具２０の発熱部２１中の被酸化性金属が空気（酸素）と接触して発熱が起こっている。よって、シート状温熱化粧用具１Ａが使用者の身体（本実施形態では目の下）に固定されると、その熱が化粧料含浸部１０に伝わって、該化粧料含浸部１０に含まれている有効成分が使用者の皮膚に浸透しやすくなる。また発生した熱が使用者の肌にも伝わって毛穴が開き、それによっても有効成分が使用者の皮膚に浸透しやすくなる。皮膚に熱を付与している時間は５〜６０分程度とすることが好ましい。この間の皮膚温度は３７〜４２℃に維持されることが好ましい。このような皮膚温度となるようなシート状発熱具２０の発熱温度や発熱時間は、シート状発熱具２０を構成する収容体２２の透湿度、通気度や、収容体２２に収容される発熱部２１の組成によってコントロールすることができる。
【００３４】
第１実施形態のシート状温熱化粧用具１Ａの化粧料含浸部１０は、図５（ｂ）に示す状態においては、その含浸層自体が有する粘着性、吸着性及びシート状発熱具２０による押さえつけによって、使用者の身体に固定されている。しかし化粧料含浸部１０は、シート状発熱具２０とは、お互いの接する面全体で一体化されてなく、非固定の状態になってい る。したがって化粧料含浸部１０は、シート状発熱具２０とは独立して使用者の身体に追従可能になっている。ここで、身体に追従可能とは、身体の表面状態の変化に対して追従可能であるとの意味である。また、身体の表面状態の変化とは、シート状温熱化粧用具１Ａを例えば顔面に適用した場合に、顔面の表情の変化、動き、皮膚状態の変化等のことを意味する。その結果、シート状発熱具２０が発熱し、それに起因してシート状発熱具２０が硬くなり、剛軟性が高くなったとしても、化粧料含浸部１０はその影響を受けず、該化粧料含浸部１０の身体からの浮きや剥がれが効果的に防止される。しかもシート状温熱化粧用具１Ａは、シート状発熱具２０に設けられた粘着部２５の粘着力を過度に高めなくても上述の浮きや剥がれが防止されるので、肌の突っ張り感が生じることも防止され、更に使用後のシート状発熱具２０を肌から引き剥がすときに粘着部２５の粘着剤が肌に残ってしまったり、肌へ大きな刺激やストレスを与えて、肌荒れなどのトラブルを引き起こしたりすることも防止される。
【００３５】
浮きや剥がれを生じることなく化粧料含浸部１０が使用者の身体に十分に追従するためには、化粧料含浸部１０は柔軟であることが好ましい。少なくとも化粧料含浸部１０は、発熱の前後を問わずシート状発熱具２０よりも柔軟であることが好ましい。この観点から、化粧料含浸部１０は、ＪＩＳ  Ｌ１０９６で規定する、ハンドルオメーターにより測定された剛軟性の値が、同装置を用いて測定されたシート状発熱具２０の剛軟性の値よりも小さいことが好ましい。要するに適用する肌の形状に沿って自由に変形可能な柔らかさや伸縮性を有していることが好ましい。
【００３６】
シート状温熱化粧用具１Ａは、化粧料含浸部１０に含浸させる液状の化粧料入りの容器と、同一のパッケージに収容し、シート状温熱具セットの状態で販売されれば、販売促進効果が期待できる。
【００３７】
次に、本発明の第２実施形態のシート状温熱化粧用具について、図６，図７に基づいて説明する。
第２実施形態のシート状温熱化粧用具１Ｂについては、第１実施形態のシート状温熱化粧用具１Ａと異なる点について説明する。特に説明しない点は、第１実施形態のシート状温熱化粧用具１Ａと同様であり、第１実施形態のシート状温熱化粧用具１Ａの説明が適宜適用される。
【００３８】
第２実施形態のシート状温熱化粧用具１Ｂは、図６，図７に示すように、シート状発熱具２０における粘着部２５の配置位置が第１の実施形態と相違している。具体的には、シート状温熱化粧用具１Ｂにおいては、粘着部２５がシート状発熱具２０の平面視において発熱部２１よりも外側の位置に設けられていると共に、粘着部２５が発熱部２１の左右両側部にも設けられている。換言すれば、粘着部２５が発熱部２１の存する位置にも設けられている。但し粘着部２５は、シート状発熱具２０における発熱部２１の存する位置の全域には設けられていない。
【００３９】
以上の構成を有するシート状温熱化粧用具１Ｂの使用方法及びシート状温熱化粧用具１Ｂを使用した際の作用効果について説明する。
第２実施形態のシート状温熱化粧用具１Ｂの効果については、第１実施形態のシート状温熱化粧用具１Ａの効果と異なる点について説明する。特に説明しない点は、第１実施形態のシート状温熱化粧用具１Ａの効果と同様であり、第１実施形態のシート状温熱化粧用具１Ａの効果の説明が適宜適用される。
本使用方法は、先ず剥離紙２で覆われていない化粧料含浸部１０の部分、即ち化粧料含浸部１０の露出している部分に、使用者の好みの化粧料を含浸させ、次に、粘着部２５を被覆する剥離紙２を剥がし、シート状温熱化粧用具１Ｂの肌当接面側を露出させる。そして露出したシート状温熱化粧用具１Ａを、図５（ｂ）に示すように、使用者の肌に当接させる。
【００４０】
シート状温熱化粧用具１Ｂの粘着部２５は、シート状発熱具２０を使用者の身体に固定することに加え、化粧料含浸部１０をシート状発熱具２０にお互いの接する面の一部分で一体化するように構成されている。その結果、第１実施形態のシート状温熱化粧用具１Ａの使用手順（図５（ａ）及び（ｂ）に示す手順）と異なり、第２実施形態によれば、化粧料含浸部１０の一部を予めシート状発熱具２０に固定した状態下に、該シート状発熱具２０を使用者の身体に固定することができる。したがって、図５（ａ）及び（ｂ）に示す手順では化粧料含浸部１０を使用者の身体に当接させる動作、及びその上にシート状発熱具２０を固定する動作という２回の動作が必要であったのに対し、シート状温熱化粧用具１Ｂでは予め化粧料含浸部１０が固定されたシート状発熱具２０を使用者の身体に固定するという１回の動作で足りるという利点がある。
【００４１】
シート状温熱化粧用具１Ｂにおいては、化粧料含浸部１０は、その左右両側部のみがシート状発熱具２０に固定されており、その間の部位においてはシート状発熱具２０と非固定状態になっている。したがって化粧料含浸部１０は、シート状発熱具２０とは独立して使用者の身体に追従可能になっている。その結果、シート状温熱化粧用具１Ｂによれば、シート状発熱具２０が発熱し、それに起因してシート状発熱具２０が硬くなり剛軟性が大きくなったとしても、化粧料含浸部１０はその影響を受けず、該化粧料含浸部１０の身体からの浮きや剥がれが効果的に防止できる。
【００４２】
次に、本発明の第３実施形態のシート状温熱化粧用具について、図８に基づいて説明する。
第３実施形態のシート状温熱化粧用具１Ｃについては、第１実施形態のシート状温熱化粧用具１Ａと異なる点について説明する。特に説明しない点は、第１実施形態のシート状温熱化粧用具１Ａと同様であり、第１実施形態のシート状温熱化粧用具１Ａの説明が適宜適用される。
【００４３】
第３実施形態のシート状温熱化粧用具１Ｃは、図８（ａ）に示すように、剥離紙２の形態が第１の実施形態と相違している。具体的には、剥離紙２’は、図８（ａ）に示すように、シート状温熱化粧用具１Ｃの両端部から外方へ延出する部分が肌当接面側に折り返されているが、それらの折り返された部分がいずれも、シート状温熱化粧用具１Ｃの略中央まで延在している。剥離紙２’の折り返された部分は、粘着部２５，２５を覆っており、化粧料含浸部１０の少なくとも一部を露出するように設けられている。具体的には、化粧料含浸部１０の略三日月形状が露出するように、剥離紙２’の折り返された部分は、化粧料含浸部１０の位置する相当部分をくりぬいて形成されている。尚、図８（ｂ）に示すように、折り返した剥離紙２’’を二つ折りにし、その間にシート状温熱化粧用具１Ｃを挟む形態であっても良い。この場合、剥離紙２’’の肌当接面側に折り返された部分は、化粧料含浸部１０の位置する相当部分をくりぬいて形成されている。
【００４４】
以上の構成を有するシート状温熱化粧用具１Ｃを使用した際の作用効果について説明する。
第３実施形態のシート状温熱化粧用具１Ｃの効果については、第１実施形態のシート状温熱化粧用具１Ａの効果と異なる点について説明する。特に説明しない点は、第１実施形態のシート状温熱化粧用具１Ａの効果と同様であり、第１実施形態のシート状温熱化粧用具１Ａの効果の説明が適宜適用される。
第３実施形態のシート状温熱化粧用具１Ｃは、図８に示すように、化粧料含浸部１０の略三日月形状が露出するように、剥離紙２’で覆われているので、使用者が化粧料等を含浸させる際に、含浸させる位置を更に容易に把握することができ、誤使用する割合が少なくなる。
【００４５】
本発明のシート状温熱化粧用具は、上述の第１，第２，第３実施形態のシート状温熱化粧用具に何ら制限されるものではなく、適宜変更可能である。また、上述の第１，第２，第３実施形態のシート状温熱化粧用具における各構成要件は、本発明の趣旨を損なわない範囲で、適宜組み合わせて実施できる。
【００４６】
例えば、上述の第１，第２，第３実施形態のシート状温熱化粧用具１Ａ，１Ｂ，１Ｃにおいては、図２，図７に示すように、化粧料含浸部１０とシート状発熱具２０とを、互いに分離可能となるように備えているが、シート状発熱具２０の粘着部２５を肌当接面側の面の全域に設け、化粧料含浸部１０を積極的にシート状発熱具２０に分離不能となるように固着しても良い。さらに、化粧料含浸部１０を肌への密着性を損なわない厚みと柔軟性を有するシートで構成し、シート状発熱具２０と化粧料含浸部１０とが環状接合部２３で接合する、または接着剤等で当接面全域において接着することで、互いに分離不能となるようにしても良い。
【００４７】
また、シート状温熱化粧用具１Ａ，１Ｂ，１Ｃにおいては、剥離紙２上にシート状温熱化粧用具１Ａ，１Ｂ，１Ｃを配置し、シート状温熱化粧用具１Ａの端部から外方へ延出する部分を肌当接面側に折り返しているが、シート状温熱化粧用具１Ａの非肌当接面側には剥離紙２を設けず、シート状温熱化粧用具１Ａの肌当接面側にのみ剥離紙２を配置するようにしても良い。
【図面の簡単な説明】
【００４８】
【図１】図１は本発明の使用前のシート状温熱化粧用具の第１実施形態を示す斜視図である。
【図２】図２は図１におけるＸ１−Ｘ１線断面図である。
【図３】図３は本発明の使用中のシート状温熱化粧用具の第１実施形態を示す斜視図である。
【図４】図４（ａ）及び（ｂ）はそれぞれ図１に示すシート状温熱化粧用具の使用方法の説明図である。
【図５】図５（ａ）及び（ｂ）はそれぞれ図１に示すシート状温熱化粧用具の使用方法の説明図である。
【図６】図６は本発明の使用中のシート状温熱化粧用具の第２実施形態を示す斜視図である。
【図７】図７は図１におけるＸ２−Ｘ２線断面図である。
【図８】図８（ａ）は本発明の使用前のシート状温熱化粧用具の第３実施形態を示す斜視図である。図８（ｂ）はシート状温熱化粧用具の第３実施形態のその他の実施形態を示す斜視図である。
【符号の説明】
【００４９】
１Ａ，１Ｂ，１Ｃ  温熱化粧具
２  剥離紙
１０  シート状化粧料
１１  繊維シート
１２  含浸層
２０  シート状発熱具
２１  発熱部
２２  収容体
２４  フラップ部
２５  粘着部
【図１】
2010051486.tif 000003
【図２】
2010051486.tif 000004
【図３】
2010051486.tif 000005
【図４】
2010051486.tif 000006
【図５】
2010051486.tif 000007
【図６】
2010051486.tif 000008
【図７】
2010051486.tif 000009
【図８】
2010051486.tif 000010